(57)【要約】【課題】複数のコルゲートチューブで外装した配線材を通すプロテクタの幅を拡げないようにする。【解決手段】電線にコルゲートチューブを外装した３本以上の配線材を位置決め保持して挿通するプロテクタであって、底壁と両側壁とを備えたプロテクタ本体と、該プロテクタ本体の底壁と対向する開口に被せる蓋を備え、前記プロテクタ本体の長さ方向両側の入口および／または出口に、前記複数の各コルゲートチューブの谷部の一部に周縁が嵌合する位置決め用の嵌合溝を設け、該嵌合溝のうち２本の前記コルゲートチューブ用の嵌合溝は前記開口側に並列に設ける一方、他のコルゲートチューブ用の嵌合溝は、前記開口側の嵌合溝の奥側を凹設してＵ字状溝とし、または前記開口側の２つの嵌合溝の間の奥側に連続して円弧状に凹設した斜め奥側円弧状溝として設けている。【選択図】図１
2013078173.tif 000002
【特許請求の範囲】
【請求項１】
電線にコルゲートチューブを外装した３本以上の配線材を位置決め保持して挿通するプロテクタであって、
底壁と両側壁とを備えたプロテクタ本体と、該プロテクタ本体の底壁と対向する開口に被せる蓋を備え、
前記プロテクタ本体の長さ方向両側の入口および／または出口に、前記複数の各コルゲートチューブの谷部の一部に周縁が嵌合する位置決め用の嵌合溝を設け該嵌合溝のうち２本の前記コルゲートチューブ用の嵌合溝は前記開口側に並列に設ける一方、他のコルゲートチューブ用の嵌合溝は、前記開口側の嵌合溝の奥側を凹設してＵ字状溝とし、または前記開口側の２つの嵌合溝の間の奥側に連続して円弧状に凹設した斜め奥側円弧状溝として設けているプロテクタ。
【請求項２】
前記コルゲートチューブ用の嵌合溝のうち、前記Ｕ字状溝は少なくとも２本のコルゲートチューブを積層し挿通させ、前記斜め奥側円弧状溝は開口側の２つの嵌合溝より円弧を小さくして小径のコルゲートチューブ用としている請求項１に記載のプロテクタ。
【請求項３】
前記位置決め用の嵌合溝の円弧状周縁の内周面に、軸方向に間隔をあけて２〜３個の突片を設け、前記コルゲートチューブの２〜３の谷部に嵌合できる構成としている請求項１または請求項２に記載のプロテクタ。
【請求項４】
前記開口側に設ける前記２個の嵌合溝は幅方向に並列せず、長さ方向に並設している請求項１乃至請求項３のいずれか１項に記載のプロテクタ。
【発明の詳細な説明】
【技術分野】
【０００１】
本発明はワイヤハーネス用のプロテクタに関し、詳しくは、複数のコルゲートチューブで外装した電線群を１つのプロテクタに挿通する場合に、プロテクタの横幅を拡げずに各コルゲートチューブを効率良く位置決め保持して挿通できるプロテクタに関する。
【背景技術】
【０００２】
従来、自動車等の車両に配索するワイヤハーネスの電線群はテープ巻き結束し、ワイヤハーネスの配索経路を規制する必要がある箇所や、外部干渉材からワイヤハーネスを保護する必要がある箇所には樹脂成形品からなるプロテクタを配置し、該プロテクタ内にワイヤハーネスを挿通している。
電線群をテープ巻き結束する作業は、作業者の熟練度が相違すると仕上がりにバラツキが発生しやすく、かつ、作業時間もかかるため、近時、樹脂成形品からなるコルゲートチューブ内に電線群を通し、この外装するコルゲートチューブで電線群を集束すると共に保護する場合が多い。
【０００３】
コルゲートチューブで外装した電線群をプロテクタに通す場合は、少なくともプロテクの出口および入口に近接した内周面に電線群に外装するコルゲートチューブの山谷に嵌合する凹凸を設け、コルゲートチューブを位置決め保持して連結している場合が多い。また、プロテクタの長さが比較的短い場合には、コルゲートチューブを外装した状態でプロテクタ内を挿通することもある。
【０００４】
プロテクタ内に通す電線群が複数組あり、各電線群にそれぞれコルゲートチューブを外装している場合、これらコルゲートチューブをプロテクタ内に並列に収容して挿通させる場合が多い。例えば、特開平１１−１９６５１７号公報で提案された図６に示すプロテクタ１００では、コルゲートチューブをそれぞれ挿通する３つの収容溝１０１を並列に設け、各収容溝１０１の先端にコルゲートチューブの山谷に嵌合する突起１０２を設けている。これら並設した収容溝１０１に電線群Ｗ１〜Ｗ３にそれぞれ外装した３本のコルゲートチューブ１１０を挿入し、前記突起１０２をコルゲートチューブ１１０の谷部に嵌合して位置決めし、その後、プロテクタのカバーを被せて結合している。
【先行技術文献】
【特許文献】
【０００５】
【特許文献１】特開平１１−１９６５１７号公報
【発明の概要】
【発明が解決しようとする課題】
【０００６】
自動車内に搭載するプロテクタは、非常に限られたスペースに配置される場合が多い。前記のように、プロテクタの入口あるいは／および出口に３本等の複数本のコルゲートチューブが挿入される場合、特許文献１のように各コルゲートチューブを挿入する円弧状の収容溝を幅方向Ｘ(コルゲートチューブの挿入方向と直交方向)に並列に設けると共に、各円弧状凹部からコルゲートチューブの谷部に嵌合する突起を突出する必要があり、プロテクタの横幅が広くなる。しかしながら、プロテクタの設置スペースが狭いと、プロテクタを設置することができなくなる。
【０００７】
本発明は前記問題に鑑みてなされたもので、プロテクタの横幅を拡大せずに、電線に外装する３本以上のコルゲートチューブを位置決め保持して挿通可能とし、スペース幅が狭い場所にも設置できるプロテクタを提供することを課題としている。
【課題を解決するための手段】
【０００８】
前記課題を解決するため、本発明は、電線にコルゲートチューブを外装した３本以上の配線材を位置決め保持して挿通するプロテクタであって、
底壁と両側壁とを備えたプロテクタ本体と、該プロテクタ本体の底壁と対向する開口に被せる蓋を備え、
前記プロテクタ本体の長さ方向両側の入口および／または出口に、前記複数の各コルゲートチューブの谷部の一部に周縁が嵌合する位置決め用の嵌合溝を設け、該嵌合溝のうち２本の前記コルゲートチューブ用の嵌合溝は前記開口側に並列に設ける一方、他のコルゲートチューブ用の嵌合溝は、前記開口側の嵌合溝の奥側を凹設してＵ字状溝とし、または前記開口側の２つの嵌合溝の間の奥側を円弧状に凹設して斜め奥側円弧状溝として設けているプロテクタを提供している。
【０００９】
前記コルゲートチューブ用の嵌合溝のうち、前記Ｕ字状溝は少なくとも２本のコルゲートチューブを積層し挿通させ、前記斜め奥側円弧状溝は開口側の２つの嵌合溝より円弧を小さくして小径のコルゲートチューブ用とすることが好ましい。
【００１０】
前記位置決め用の嵌合溝の円弧状周縁の内周面に、軸方向に間隔をあけて２〜３個の突片を設け、前記コルゲートチューブの２〜３の谷部に嵌合できるようにすることが好ましい。
【００１１】
前記形状とした本発明のプロテクタは、３本以上のコルゲートチューブが挿通するプロテクタの入口あるいは／及び出口に、挿通するコルゲートチューブの本数と同数の嵌合溝を幅方向Ｘ（コルゲートチューブの挿通方向である長さ方向Ｌと直交方向）に設けておらず、複数本のコルゲートチューブを積層して挿通させ、また、前記斜め奥側円弧状溝でも斜め奥側に挿通させているため、プロテクタの幅方向Ｘが広がるのを防止できる。よって、プロテクタの配置スペースの幅方向Ｘが狭い箇所にプロテクタを設置することができる。
また、Ｕ字状溝の奥側に挿通するコルゲートチューブ、斜め奥側円弧状溝に挿通するコルゲートチューブは蓋側に通すコルゲートチューブで押さえられるため、蓋をかぶせるまで、蓋側に位置する２本のコルゲートチューブを押さえれば良いため、作業性を高めることができる。
さらに、プロテクタの出入口でコルゲートチューブを前記位置決め用の嵌合溝で位置決め保持すると、該出入口に挟まれたプロテクタの中間領域でも、コルゲートチューブはねじれる事なく平行配線でき、横幅方向に広がることなくプロテクタ内を挿通できる。
【００１２】
さらに、前記開口側に設ける前記２個の嵌合溝は幅方向Ｘに並列せず、長さ方向Ｌ（横幅方向Ｘと直交するコルゲートチューブの挿通方向）に並設して設けると、プロテクタの幅方向Ｘをより狭くすることができる。
【発明の効果】
【００１３】
前記のように、本発明のプロテクタによれば、複数のコルゲートチューブで外装した配線材を位置決め保持して挿通する必要があるが、プロテクタの入口あるいは／および出口に設けるコルゲートチューブとの嵌合溝は、プロテクタのコルゲートチューブ挿通方向と直交する幅方向Ｘに並列に設けるのではなく、コルゲートチューブを積層して挿通させるＵ字状溝や、斜め奥側に挿通させる円弧状溝としているため、幅方向Ｘの寸法増大を防止できる。その結果、設置スペースの幅方向Ｘの寸法が狭い場合にも、プロテクタを無理無く設置することができる。
【図面の簡単な説明】
【００１４】
【図１】本発明の実施形態のプロテクタの斜視図である。
【図２】前記プロテクタにコルゲートチューブを外装した配線材を挿通した状態の斜視図である。
【図３】前記プロテクタの入口の平面図である。
【図４】前記プロテクタの出口の平面図である。
【図５】他の実施形態のプロテクタの入口の概略平面図である。
【図６】従来例を示す斜視図である。
【発明を実施するための形態】
【００１５】
以下、本発明の実施形態を図面を参照して説明する。
図１乃至図４に実施形態を示す。
実施形態のプロテクタ１は自動車に配索するワイヤハーネスの所要領域に外装するものである。
【００１６】
プロテクタ１はプロテクタ本体２と、該プロテクタ本体２内にワイヤハーネスを挿通した後にプロテクタ本体２の上面開口（図１では側面開口）に被せてロック結合する蓋３とからなる。これらプロテクタ本体２および蓋３は樹脂成形品からなる。
【００１７】
自動車内におけるプロテクタ１の配置スペースでは、図１に示すように、深さ方向Ｄに対して幅方向Ｘが狭く、かつ、プロテクタの入口４から出口５にかけて深さ方向Ｄで上下方向に屈曲した形状となっている。ワイヤハーネスは入口４に上方から挿入し、出口５から上方へと引き出している。
【００１８】
プロテクタ本体２は底壁７と側壁８、９からなり、底壁７に対向する上面が開口した断面凹形状である。本実施形態では、図１に示すように、底壁７を縦方向となるように倒して配置し、底壁７に対向する上面開口を側面に開口して蓋３を被せ、側壁８、９を上下壁としている。よって、プロテクタ１の上面に位置させる入口４および出口５は上壁となる側壁８の長さ方向の両端に設けている。
【００１９】
プロテクタ１内に挿通するワイヤハーネスは、第１〜第３配線材１０、１１、１２からなる。これら第１〜第３配線材１０、１１、１２をそれぞれ構成する電線群には、プロテクタ１の入口４に挿入する位置までコルゲートチューブ２０、２１、２２を外装し、かつ、出口５から引き出す位置からコルゲートチューブ２３、２４、２５を外装している。入口４と出口５の間のプロテクタ１の内部では第１〜第３配線材１０、１１、１２にコルゲートチューブを外装していない。
【００２０】
前記のように、プロテクタ１の入口４に３本のコルゲートチューブ２０〜２２、出口５にも３本のコルゲートチューブ２３〜２５を挿通するため、これらのコルゲートチューブを位置決め保持する必要がある。
【００２１】
前記コルゲートチューブ２０〜２５は従来汎用されている樹脂製のもので、環状の山部と谷部を軸線方向に交互に設け、伸縮可能としている。該コルゲートチューブ２０〜２５にそれぞれ配線材となる電線群を挿通し、コルゲートチューブの長さ方向の両端を電線群に粘着テープを巻き付けて固着している。
【００２２】
前記入口４に挿入する第１〜第３配線材１０〜１２の各電線群の径は略同径であるため、同一サイズのコルゲートチューブ２０〜２２で外装している。
これらコルゲートチューブ２０〜２２を挿入するプロテクタ１の入口４はプロテクタ本体２の側壁８の長さ方向の一端側に段状に突出させると共に側方に屈曲させて設けている。
【００２３】
前記側壁８に設ける入口４の部分に、図３に示すように、長さ方向Ｌに隣接してコルゲートチューブの位置決め保持用の嵌合溝を設けている。具体的には、コルゲートチューブ２０と２２を積層した状態で挿通させるＵ字状の嵌合溝３１と、コルゲートチューブ２１を挿通させる円弧状の嵌合溝３２を先端開口から切り欠いて形成している。
このように入口４には、幅方向Ｘではなく、長さ方向Ｌに隣接してＵ字状の嵌合溝３１と、円弧状の嵌合溝３２を開口側に並列で設け、幅方向Ｘに凹設したＵ字状の嵌合溝３１の深さを円弧状の嵌合溝３２の深さの約２倍として、深さを変えている。
【００２４】
前記Ｕ字状の嵌合溝３１および円弧状の嵌合溝３２の内周面には間隔をあけて３つの突起３１ａ、３２ａを設けている。突起３１ａをコルゲートチューブ２０、２２の山部にはさまれた谷部に挿入してコルゲートチューブ２０、２２を位置決め保持できるようにしている。また、突起３２ａをコルゲートチューブ２１の山部に挟まれた谷部に挿入してコルゲートチューブ２１を位置決め保持できるようにしている。
【００２５】
前記出口５から引き出す第１〜第３配線材１０〜１２のうち、第１、第２配線材１０、１１の外径は入口４側と変化なく略同径であるため、前記コルゲートチューブ２０、２１と同一サイズのコルゲートチューブ２３、２４で外装している。第３配線材１２の電線群の一部を底壁７側に設けた出口から引き出すため、出口５から引き出す第３配線材１２の径は小さくなり、小さいサイズのコルゲートチューブ２５で外装している。
【００２６】
前記コルゲートチューブ２３〜２５を引き出すプロテクタ１の出口５は図４に示すように側壁８の長さ方向Ｌの他端側に上下方向に傾斜させて設けている。該出口５の部分は入口４の部分と同様にプロテクタ１の車載時に長さ方向Ｌとなる方向を広くして、該出口５にコルゲートチューブの位置決め保持用の嵌合溝を長さ方向Ｌに隣接して設けている。
【００２７】
詳しくは、前記出口５の部分に、コルゲートチューブ２３と２４とを挿通する大径の円弧状の嵌合溝３３、３４を長さ方向Ｌに隙間をあけて並設し、該円弧状の嵌合溝３３、３４の隙間で且つ底壁７側にコルゲートチューブ２５を挿通する小径の円弧状の斜め奥側嵌合溝３５を設け、嵌合溝３３、３４、３５の円弧を連続させて形成している。
【００２８】
前記円弧状の嵌合溝３３〜３５の内周面には間隔をあけて３つの突起３３ａ〜３５ａを設けている。前記突起３３ａ〜３５ａをそれぞれコルゲートチューブ２３〜２５の山部に挟まれた谷部に挿入できる厚さとしている。
【００２９】
前記プロテクタ本体２の側壁８、９の開口端に沿った外面にロック枠８ｒを設けると共に、蓋３の幅方向の端縁に前記ロック枠８ｒに挿入係止するロック爪３ｒを設けている。
【００３０】
コルゲートチューブで外装した第１〜第３配線材１０〜１２を含むワイヤハーネスにプロテクタ１を取り付ける作業時、図２に示すように、プロテクタ１のプロテクタ本体２内にまず第３配線材１２を上面開口から挿入する。
【００３１】
該第３配線材１２には入口側にコルゲートチューブ２２、出口側にコルゲートチューブ２５を外装している。入口４側ではコルゲートチューブ２２をＵ字状の嵌合溝３１の奥端まで挿入し、該嵌合溝３１の奥端の円弧部の突起３１ａをコルゲートチューブ２２の谷部に挿入して位置決め保持する。出口５側では中央の小径円弧状の斜め奥側の嵌合溝３５にコルゲートチューブ２５を挿入し、円弧状の突起３５ａをコルゲートチューブ２５の谷部に挿入して位置決め保持する。
【００３２】
次に、第１配線材１０をプロテクタ本体２の上面開口から挿入する。該第１配線材１０には入口側にコルゲートチューブ２０、出口側にコルゲートチューブ２３を外装している。入口４側ではコルゲートチューブ２０をＵ字状の嵌合溝３１に挿入し、前入れしているコルゲートチューブ２２に重ね、嵌合溝３１の両側の突起３１ａをコルゲートチューブ２０の谷部に挿入して位置決め保持する。出口５側では一方側の大径の円弧状の嵌合溝３３にコルゲートチューブ２３を挿入し、円弧状の突起３３ａをコルゲートチューブ２３の谷部に挿入して位置決め保持する。
【００３３】
最後に、第２配線材１１をプロテクタ本体２の上面開口から挿入する。該第２配線材１１には入口側にコルゲートチューブ２１、出口側にコルゲートチューブ２４を外装している。入口４側ではコルゲートチューブ２１を円弧状の嵌合溝３２に挿入し、嵌合溝３２の突起３２ａをコルゲートチューブ２１の谷部に挿入して位置決め保持する。出口５側では他方側の大径の円弧状の嵌合溝３４にコルゲートチューブ２４を挿入し、円弧状の突起３４ａをコルゲートチューブ２４の谷部に挿入して位置決め保持する。
【００３４】
このように、プロテクタ本体２の入口４および出口５側でそれぞれコルゲートチューブ２０〜２５を位置決め保持するため、入口４から出口５までの間で第１〜第３配線材１０〜１２がねじれる事なく平行配線される。
【００３５】
その後、プロテクタ本体２に蓋３を被せてロック結合するが、該蓋３を被せるまで、第３配線材１２は入口側のコルゲートチューブ２０で開口側が押さえられていると共に、出口側のプロテクタ２５はコルゲートチューブ２３、２４で開口側がふさがれている。よって、２本の第１、第２配線材１０、１１を指で押さえた状態で蓋３を被せることができる。
【００３６】
かつ、３本の第１〜第３配線材１０〜１２に外装したコルゲートチューブ２０〜２２、２３〜２５をプロテクタ１の入口４と出口５でそれぞれ位置決め保持する必要があるが、第３配線材１２に外装したコルゲートチューブ２２、２５を入口４及び出口５のいずれでも奥側に挿通する構成とし、３本のコルゲートチューブを並列状態で挿通させていないため、プロテクタ１の挿通方向と直交方向の幅が広くならない。
しかも、開口側に面して並列に設けるコルゲートチューブ位置決め保持用の嵌合溝は２個までとし、かつ、プロテクタの車載時に、プロテクタの長さ方向（コルゲートチューブの挿通方向Ｌ）と直交する幅方向Ｘではなく、長さ方向Ｌにコルゲートチューブ位置決め保持用の嵌合溝３１〜３５を並設しているため、幅方向Ｘを狭くできる。その結果、プロテクタの配置スペースの幅が狭い場合にも、プロテクタ１を配置することができる。
【００３７】
本発明は前記実施形態に限定されず、プロテクタの出口から引き出す配線材に外装したコルゲートチューブのサイズが同径であれば、出口に設けるコルゲートチューブ位置決め保持嵌合溝は入口側と同一形状としてもよい。逆に入口側を出口側と同一形状としてもよい。
【００３８】
図５に他の実施形態を示す。
前記実施形態ではプロテクタに挿通する配線材は３本であったが、図５の実施形態では４本であり、第１〜第４配線材には、プロテクタの入口および出口に相当する位置にそれぞれコルゲートチューブを外装している。入口及び出口には、それぞれ各４本のコルゲートチューブの位置決め保持用の嵌合溝として、Ｕ字状の嵌合溝５０と５１とを隣接して設けている。他の構成は第１実施形態と同様であるため、説明を省略する。
【００３９】
Ｕ字状の嵌合溝５０には、第１、第２配線材に外装した２本のコルゲートチューブ６０と６１を積層して挿入して位置決め保持している。また、Ｕ字状の嵌合溝５１に第３、第４配線材に外装した２本のコルゲートチューブ６２と６３を積層して挿入して位置決め保持している。
【００４０】
このように、複数のコルゲートチューブを位置決め保持して収容するＵ字状の嵌合溝を長さ方向に隣接して設けると、幅方向寸法を小さくでき、プロテクタの設置スペースの幅が狭い場合にも、プロテクタを配置することが可能になる。
【符号の説明】
【００４１】
１  プロテクタ
２  プロテクタ本体
３  蓋
４  入口
５  出口
１０  第１配線材
１１  第２配線材
１２  第３配線材
２０〜２５  コルゲートチューブ
３１  Ｕ字状の嵌合溝    
３２、３３、３４、  円弧状の嵌合溝
３５  斜め奥側の嵌合溝
Ｘ  幅方向
Ｌ  長さ方向
Ｄ  深さ方向
【図１】
2013078173.tif 000003
【図２】
2013078173.tif 000004
【図３】
2013078173.tif 000005
【図４】
2013078173.tif 000006
【図５】
2013078173.tif 000007
【図６】
2013078173.tif 000008